(57)【要約】【課題】薄型化、狭額縁化、小型化を可能にする液晶モニタを提供する。【解決手段】直下型バックライトを有する液晶モジュールを用いた液晶モニタにおいて、液晶モジュール１３と液晶モニタ部材１２との取り付け部が、液晶モジュール１３を形成する直下型バックライトの反射板８に設けられており、その取付け部は、反射板斜面と液晶モジュール１３の上フレーム２との間の空間部に向けて反射板８の底面を延長させた反射板延長部１１ａによって形成され、この反射板延長部１１ａに液晶モニタ部材１２をネジ７ｄによって固定したことを特徴とする。このように反射板斜面の空間を利用することによって薄型、小型、狭額縁の液晶モニタを提供することができる。【選択図】　　　図１
2004029186.tif 000002
【特許請求の範囲】
【請求項１】
直下型バックライトを有する液晶モジュールを液晶モニタ部材に取付け、外周を筐体フレームで覆った液晶モニタにおいて、前記液晶モジュールと液晶モニタ部材との取り付け部が前記直下型バックライトの反射板に設けられており、その取り付け部は反射板斜面と液晶モジュールの上フレームとの間の空間部に向けて前記反射板の一部を反射板面と水平な方向に延長させて形成されていることを特徴とする液晶モニタ。
【請求項２】
直下型バックライトを有する液晶モジュールを液晶モニタ部材に取付け、外周を筐体フレームで覆った液晶モニタにおいて、前記液晶モジュールと液晶モニタ部材との取り付け部が直下型バックライトの反射板に設けられており、その取り付け部は反射板斜面と液晶モジュールの上フレームとの間の空間部で、前記反射板の一部を反射板面と垂直な方向に延長あるいは屈曲させて形成されていることを特徴とする液晶モニタ。
【請求項３】
直下型バックライトを有する液晶モジュールを液晶モニタ部材に取付け、外周を筐体フレームで覆った液晶モニタにおいて、前記液晶モジュールと液晶モニタ部材との取り付け部が前記直下型バックライトの反射板に設けられており、その取り付け部は反射板斜面と液晶モジュールの上フレームとの間の空間部で、前記反射板の一部を突出させて形成されていることを特徴とする液晶モニタ。
【請求項４】
直下型バックライトを有する液晶モジュールを液晶モニタ部材に取付け、外周を筐体フレームで覆った液晶モニタにおいて、前記液晶モジュールと液晶モニタ部材との取り付け部が直下型バックライトの反射板斜面と液晶モジュールの上フレームとの間の空間部で、前記反射板に接合された部品により形成されていることを特徴とする液晶モニタ。
【請求項５】
請求項１乃至請求項４の取り付け部にネジ孔を設け、前記液晶モジュールと液晶モニタ部材とをネジによって取り付ける構造としたことを特徴とする請求項１〜４のいずれかに記載の液晶モニタ。
【請求項６】
直下型バックライトを有する液晶モジュールを液晶モニタ部材に取付け、外周を筐体フレームで覆った液晶モニタにおいて、前記液晶モジュールと液晶モニタ部材との取り付け部が前記液晶モジュールの上フレームの側面に設けられており、その取り付け部は前記直下型バックライトの反射板斜面と前記上フレームとの間の空間部に位置するように、ネジ孔を設けて形成されていることを特徴とする液晶モニタ。
【請求項７】
直下型バックライトを液晶パネルに取付けて成る液晶モジュールにおいて、前記直下型バックライトと液晶パネルを保持する上フレームとの取り付け部が前記直下型バックライトの反射板に設けられており、その取り付け部は反射板斜面と上フレームとの間の空間部で、前記反射板の一部を反射板面と垂直な方向に延長あるいは屈曲させて形成されていることを特徴とする液晶モジュール。
【請求項８】
前記取り付け部にネジ孔を設け、前記直下型バックライトと液晶パネルの上フレームとをネジによって取り付ける構造としたことを特徴とする請求項７に記載の液晶モジュール。
【請求項９】
直下型バックライトを有する液晶モジュールを液晶モニタ部材に取付け、外周を筐体フレームで覆った液晶モニタにおいて、前記液晶モジュールとして請求項７または８に記載した液晶モジュールを用い、その直下型バックライトの反射板の一部を、反射板斜面と液晶モジュールの上フレームとの間の空間部に向けて反射板面と水平な方向に延長させて取付け部を形成し、前記取付け部に前記液晶モニタ部材を取り付けたことを特徴とする液晶モニタ。
【請求項１０】
直下型バックライトを有する液晶モジュールを液晶モニタ部材に取付け、外周を筐体フレームで覆った液晶モニタにおいて、前記液晶モジュールとして請求項７または８に記載した液晶モジュールを用い、その直下型バックライトの反射板の一部を、反射板斜面と液晶モジュールの上フレームとの間の空間部で、反射板面と垂直な方向に延長あるいは屈曲させて取付け部を形成し、前記取付け部に前記液晶モニタ部材を取付けたことを特徴とする液晶モニタ。
【発明の詳細な説明】
【０００１】
【発明の属する技術分野】
本発明は、直下型バックライトを有する液晶モジュールを用いた液晶モニタに関し、特に液晶モジュールの構造および液晶モジュールと液晶モニタ部材との取付け構造に関する。
【０００２】
【従来の技術】
液晶表示装置は、薄型テレビ受像機のモニタ、パーソナルコンピュータのモニタなどに使用されている。この液晶モニタは、液晶パネルとバックライトとを組立てた液晶モジュールを液晶モニタの筐体内に収納して構成されている。液晶モジュールの液晶モニタ筐体内への収納は、液晶モジュールを液晶モニタ部材に取付け、筐体フレームで覆うことにより行われている。バックライトには、蛍光管などの光源がバックライトの側部に配置されこの光源からの光が導光板により液晶パネルに導かれるエッジ型バックライトと、光源が液晶パネルに対向するように配置されている直下型バックライトとがある。直下型バックライトはエッジ型バックライトと比較して液晶パネルの輝度を向上させることができるため、高精細型テレビ受像機などの液晶モニタに適用されている。
【０００３】
従来、液晶モジュールと液晶モニタ部材との取り付け構造には、液晶モジュール側面に設けてあるネジ孔と液晶モニタ部材とをネジで直接固定する方式（以下、サイド側取付け方式という）と、液晶モジュール裏面に設けてあるネジ孔と液晶モニタ部材とをネジで直接固定する方式（以下、リア側取付け方式という）とがある。
【０００４】
従来のサイド側取付け方式は、図２０の１部断面図に示すように液晶パネル３と中間フレーム４、拡散板５、蛍光管６および反射板８とを支持台１４に固定し上フレーム２を設けた液晶モジュール１３の側面に、液晶モニタ部材１２をネジで固定しその上を筐体フレームで覆った構造を有している。すなわち、液晶モジュール１３に設けた上フレーム凸部１５の左右、もしくは上下の側面にネジ孔７ａが設けられており、液晶モニタ部材１２がネジ７ｄで固定されて液晶モジュール側面を覆う形で組立てられる。
【０００５】
また、従来のリア側取り付け方式は、図２１の１部断面図に示すように、液晶パネル３と中間フレーム４、拡散板５、蛍光管６及び反射板８とを有する液晶モジュールの反射板８の下側反射板面１０ｃに、バックライトの光学系部材と取付けネジ先端との干渉を避けるように液晶モジュールより外側に向けた凸部１１ｂを形成してそこにネジ孔７ａを設けて液晶モニタ部材１２をネジ７ｄで固定し、外周を筐体フレーム１で覆って構成されている。
【０００６】
【発明が解決しようとする課題】
しかし、上記した従来のサイド側液晶モジュール取付け方式においては、取付けネジ７ｄの先端は液晶モジュールの内臓物であるバックライトの光学系部材と干渉しないようにしなければならないので、液晶モニタの外形を形成する筐体フレームは必然的に液晶モニタ部材の側面部分と取付けネジの突出長分とを避けた外形状となる。このため液晶モニタの額縁部分が広くなり、液晶モニタの外形が大きくなるという欠点があった。
【０００７】
さらに、従来のサイド側取り付け方式において、液晶モジュールの取り付けネジ位置を、バックライトの光学系部材と取付けネジ先端との干渉を避けるために液晶モジュールの厚み方向へ避けた場合、液晶モジュールの厚みが増し、この液晶モジュールを覆う筐体フレームの厚みも増して液晶モニタが大型化するいう欠点があった。
【０００８】
また、上記した従来のリア側取付け方式を用いた液晶モニタは、反射板面上にバックライトの光学系部材と取り付けネジ先端との干渉を避けるように液晶モジュールより外側に向けた凸部を形成して液晶モニタ部材との取り付けネジ位置を設けているため、液晶モニタの厚みが増して大型化するという欠点があった。
【０００９】
なお、上記したサイド側取付け方式とリア側取付け方式以外に、液晶モジュールと液晶モニタ部材との取り付け部を液晶モジュール外形より外側に設ける方法がある。この方式では、液晶モジュールと液晶モニタ部材との取り付け部をバックライト部材と干渉しない位置に配置して液晶モジュールはこの取り付け部にネジで液晶モニタ部材に取り付けられる。しかし、筐体フレームの形状はこの取付け部を避けた外形状となり、液晶モニタの額縁部分が広くなり、液晶モニタの外形が大きくなるという欠点があった。
【００１０】
本発明の目的は上記の従来技術の欠点を改良し、特に液晶モニタの薄型化、狭額縁化、小型化を可能とする新規な液晶モジュール組立構造および液晶モジュールと液晶モニタ部材との取り付け構造を提供することである。
【００１１】
【課題を解決するための手段】
本発明は、直下型バックライトを有する液晶モジュールを液晶モニタ部材に取付け、外周を筐体フレームで覆った液晶モニタにおいて、液晶モジュールと液晶モニタ部材との取り付け部が直下型バックライトの反射板に設けられており、その取り付け部は反射板斜面と液晶モジュールの上フレームとの間の空間部に向けて反射板の一部を反射板面と水平な方向に延長させて形成されていることを特徴とする。また、取り付け部は、反射板斜面と液晶モジュールの上フレームとの間の空間部で反射板の一部を反射板面と垂直な方向に延長あるいは屈曲させて形成しても良いし、反射板の一部を突出させて形成しても良い。また、取付け部は、反射板に接合された別部品により形成してもよい。これらの取り付け部にネジ孔を設け、液晶モジュールと液晶モニタ部材とをネジによって取り付ける。
【００１２】
また、本発明によれば、直下型バックライトを有する液晶モジュールを液晶モニタ部材に取付け、外周を筐体フレームで覆った液晶モニタにおいて、液晶モジュールと液晶モニタ部材との取り付け部が液晶モジュールの上フレームの側面に設けられており、その取り付け部は反射板斜面と上フレームとの間の空間部に位置するように、ネジ孔を設けて形成されている液晶モニタが得られる。
【００１３】
また、本発明によれば、直下型バックライトを液晶パネルに取付けて成る液晶モジュールにおいて、直下型バックライトと液晶パネルを保持する上フレームとの取り付け部が直下型バックライトの反射板に設けられており、その取り付け部は反射板斜面と上フレームとの間の空間部で、反射板の一部を反射板面と垂直な方向に延長あるいは屈曲させて形成されている液晶モジュールが得られる。前記取り付け部にネジ孔を設けることにより、直下型バックライトと液晶パネルの上フレームとをネジによって取り付ける。なお、このように形成した液晶モジュールを用いて、その直下型バックライトの反射板の一部を、反射板斜面と液晶モジュールの上フレームとの間の空間部に向けて反射板面と水平な方向に延長させて取付け部を形成するか、あるいは反射板斜面と液晶モジュールの上フレームとの間の空間部で、反射板面と垂直な方向に延長あるいは屈曲させて取付け部を形成し、この取付け部に液晶モニタ部材を取付けて液晶モニタを製作することができる。
【００１４】
【発明の実施の形態】
次に本発明について図面を参照して詳細に説明する。図１（ａ）、（ｂ）は、それぞれ本発明の第１の実施形態による液晶モニタの１部断面図と分解斜視図である。図１に示すように液晶モニタは、液晶パネル３と、中間フレーム４と、拡散板５と、蛍光管６および反射板８からなる直下型バックライトとを組合わせ上フレーム２を取付けた液晶モジュール１３と、液晶モニタ筐体の主要構成部材で液晶モジュール１３を保持して液晶モニタ全体の支えとなる液晶モニタ部材１２とを、液晶モジュール１３の反射板延長部１１ａに設けたネジ孔７ａでネジ７ｄにより固定し、外周をパネル側筐体フレーム１ａおよびリア側筐体フレーム１ｂで覆って構成されている。
【００１５】
図２は、液晶モジュール１３を示す断面図である。液晶モジュール１３は、液晶パネル３と拡散板５とを中間フレーム４を介して組立て、拡散板５側に直下型バックライトを取付け、外周に上フレーム２を設けた構造を有している。そして直下型バックライトは、複数の蛍光管６と反射板８とから構成されている。反射板８は、複数の蛍光管６の内その両端にある蛍光管６から発せられる光を効果的に液晶パネル３側に集光させるため、および画面の発光量を均一化するために、図２に示すとおり反射板斜面１０ａと上側反射板面１０ｂと下側反射板面１０ｃの部分からなる形状をしており、上側反射板面１０ｂが中間フレーム４に固定されている。そして反射板斜面１０ａと上側反射板面１０ｂ、下側反射板面１０ｃの延長平面上、上フレーム２の側面、あるいは液晶モジュール１３の外形との間に存在する破線で囲まれた斜線をつけた領域は空間部９となっている。
【００１６】
図３（ａ）、（ｂ）は、それぞれ図１の液晶モジュール１３部分の背面図およびＡ−Ａ線断面図である。反射板斜面の空間部９に向けて反射板８の一部を延長した反射板延長部１１ａが設けられており取付け部を構成している。この反射板延長部１１ａの部分に液晶モジュール１３と液晶モニタ部材１２との取り付けネジ孔７ａが形成されている。反射板延長部１１ａは所定の数だけ設けられ、液晶モニタ部材１２を取り付けても反射板８との境目で変形が生じないないように強度的に十分な面積を持つものである。
【００１７】
図４は、図１および図３に示す液晶モジュール１３に設けた取付け部である反射板延長部１１ａに液晶モニタ部材１２を取付ける様子を示す拡大斜視図である。図４に示すように、液晶モニタ部材１２にもネジ孔７ｃを備えた取付け部が設けられており、この液晶モニタ部材１２の取付けネジ孔７ｃを液晶モジュール１３に設けられている反射板延長部１１ａのネジ孔７ａに合わせてネジ７ｄで固定する。この後筐体フレーム１ａ、１ｂで外周を覆うことにより液晶モニタが完成する。
【００１８】
このように本実施形態の液晶モニタは、液晶モジュール１３と液晶モニタ部材１２との取り付け部を、液晶モジュール１３の反射板斜面１０ａと上フレーム２との間の空間部９に向けて反射板８の一部を延長した反射板延長部１１ａにより形成し、この反射板延長部１１ａに設けたネジ孔７ａに液晶モニタ部材１２をネジ７ｄによって取り付ける構造となっている。
【００１９】
図２１に示す従来のリア側取付け方式による液晶モジュールの取り付け構造では、反射板の下側反射板面１０ｃ上に、ネジ７ｄの先端が輝度特性に影響を及ぼさぬよう、反射板等光学部材内側と干渉させないため、反射板外側に配置された凸部１１ｂを形成して液晶モニタ部材１２の取り付けネジ孔７ａを設ける必要があったので、その分液晶モニタの厚みが増大するという欠点があった。これに対し本発明の第１の実施形態の液晶モニタは、反射板斜面の空間部９に反射板延長部１１ａを設けて液晶モジュール１３と液晶モニタ部材１２とを取り付ける構造なので、ネジ７ｄと反射板８等の光学部材内部との干渉を避けられるため、液晶モニタの薄型化および小型化が可能となる。
【００２０】
次に本発明の第２の実施形態について説明する。図５は、本発明の第２の実施形態である液晶モジュールと液晶モニタ部材を取付けた状態を示す拡大斜視図であり、図６は液晶モジュールと液晶モニタ部材の取付け部を示す１部断面図である。図５および図６に示すように、液晶モジュール１３と液晶モニタ部材１２との取り付け部は、反射板８の一部を反射板斜面の空間部９において屈曲して液晶モジュール１３の側面部と平行な面内に設けられた反射板屈曲部１１ｃにより形成されており、この反射板屈曲部１１ｃに設けたネジ孔７ａに液晶モニタ部材１２の取付けネジ孔７ｃを合わせてネジ７ｄによって液晶モジュール１３と液晶モニタ部材１２とを取り付ける。
【００２１】
このとき図６に示したように、液晶モニタ部材１２に形成されたネジ孔７ｃを有する取り付け部を、反射板斜面の空間部９において液晶モジュール１３の反射板屈曲部１１ｃより液晶モジュール１３の最外形に対して内側に設けると、ネジ７ｄの頭部分が液晶モジュール１３の外形及び液晶モニター部材１２の外形より外側に飛び出さないようになり、液晶モジュール１３および液晶モニタ部材１２を覆う筐体フレーム１の外形は小さくなる。
【００２２】
本実施の形態では、図２０に示す従来のサイド側取り付け方式による液晶モジュールの取り付け構造のように、ネジ７ｄの先端を蛍光管６の支持台１４等の光学系部材から避けるために液晶モジュール１３の外側に向けて上フレーム２の外形を大きくする必要が無くなり、液晶モニタの狭額縁化、小型化が可能となる。また、従来のサイドマウント方式において液晶モジュール１３と液晶モニタ部材１２との取り付け部を液晶モジュール１３の厚み方向へ避けて光学系部材とネジ７ｄの干渉を避けた構造とした場合に液晶モジュール１３が厚くなるという問題も、図５および図６に示す本発明の第２の実施形態により解決することが可能となる。
【００２３】
次に本発明の第３の実施形態について説明する。図７は、本発明の第３の実施形態を示す液晶モニタの１部断面図である。図８（ａ）、（ｂ）は図７に示した液晶モジュール１３の背面図およびＢ−Ｂ線断面図である。図９は、図７および図８に示した所定の数だけ反射板突出部１１ｄが設けられた液晶モジュール１３と液晶モニタ部材１２との取付ける様子を示す拡大斜視図である。近年の液晶モニタの薄型化、軽量化に伴い、液晶モジュールを構成する反射板８の薄型化、軽量化も実施する必要がある。そこで液晶モジュール１３と液晶モニタ部材１２とを取り付けることによる各取り付け部の変形を防止するため、液晶モジュール１３と液晶モニタ部材１２との取り付け部をより強固にする必要がある。
【００２４】
そのため図７から図９に示すように本実施の形態では、液晶モジュール１３の反射板８の一部を少なくとも２面が反射板と接続された状態で反射板斜面の空間部９に向けて突出させて液晶モジュール１３と液晶モニタ部材１２との取り付け部である反射板突出部１１ｄを複数個設けている。この液晶モジュール１３の反射板突出部１１ｄには、液晶モジュール１３と液晶モニタ部材１２とを取り付けるためのネジ孔７ａが設けられている。このネジ孔７ａに液晶モニタ部材１２の取付け部のネジ孔７ｃを合せてネジ７ｄによって液晶モジュール１３と液晶モニタ部材１２とを取り付ける。この構造によって液晶モジュール１３と液晶モニタ部材１２とが反射板突出部１１ｄにおいて強固に取り付けられ、反射板８が薄型化、軽量化した場合や液晶モニタ部材１２が重くなる等、取り付け部の強度確保が難しい場合に、取り付け部の変形による様々な障害を防止することが可能となる。
【００２５】
また、本実施の形態によれば、図２１に示す従来のリア側取り付け方式による液晶モジュールの取り付け構造のように下側反射板面１０ｃ上に、ネジ７ｄ先端をバックライトの光学系部材から避けるように液晶モジュールより外側に向けた凸部１１ｂを形成して液晶モニタ部材１２の取り付けネジ孔７ａを設ける必要が無くなり、液晶モニタの薄型化、小型化が可能となる。
【００２６】
図１０は、上記した第３の実施形態の変形例を示す斜視図である。この変形例では反射板斜面の空間部９において上側反射板面１０ｃの一部を隆起させて絞り加工を施し、反射板突出部１１ｄを形成した取付け部を設けて液晶モジュール１３と液晶モニタ部材１２とを取り付けている。絞り加工により形成された反射板突出部１１ｄには、液晶モジュール１３と液晶モニタ部材１２とをネジ７ｄによって取り付けるためのネジ孔７ａが設けられている。図１０に示す構造によって、反射板斜面の空間部９における反射板突出部１１ｄが絞り加工によって容易に形成され、かつ液晶モジュール１３と液晶モニタ部材１２とを強固に取り付ることが可能となる。
【００２７】
図１１は、上記した第３の実施形態の他の変形例を示す斜視図である。この変形例では、図１１に示すように反射板突出部１１ｄを反射板斜面１０ａにおいて絞り加工により形成し隆起させ、反射板突出部１１ｄにネジ孔７ａを設けて液晶モジュール１３と液晶モニタ部材１２とをネジ７ｄにより取り付ける構造にしている。これら図７乃至図１１に示す本発明の第３の実施形態により、図２１に示す従来のリア側取り付け方式が持つ液晶モニタの厚み増加、大型化の問題を解決し、より強固に液晶モジュール１３と液晶モニタ部材１２とを取り付けることが可能となる。
【００２８】
次に本発明の第４の実施形態について説明する。図１２は、本発明の第４の実施形態である液晶モジュールと液晶モニタ部材との取付け構造を示す拡大斜視図である。図１２に示すように本実施の形態では、液晶モジュール１３と液晶モニタ部材１２との取り付け部である反射板突出部１１ｅを反射板斜面の空間部９において例えば円筒形のスタッド形状にし、取り付け部の強度を確保することを可能とした構造にしている。ただし、この反射板突出部１１ｅは、第３の実施形態の反射板突出部１１ｄとは異なり反射板８とは別部品であって、反射板斜面の空間部９において反射板８の上側反射板面１０ｂに接合し強固に固定されている。反射板８が薄く強度確保が難しい等の理由によって前記した本発明の第１乃至第３の実施形態で示したような、反射板８の一部を加工して液晶モジュール１３と液晶モニタ部材１２との取り付け部を形成することが困難となった場合に有効な手段である。この図１２に示す本発明の第４の実施形態により、図２１に示す従来のリア側取り付け方式が持つ液晶モニタの厚み増加、大型化の問題を解決し、より強固に液晶モジュール１３と液晶モニタ部材１２とを取り付けることが可能となる。
【００２９】
次に本発明の第５の実施形態について説明する。図１３は、本発明の第５の実施形態である液晶モジュールの組立て構造を示す拡大斜視図である。図１３に示すように、直下型バックライトを形成する反射板８の反射板斜面の空間部９に反射板屈曲部１１ｃが設けられており、この反射屈曲部１１ｃに上フレーム２と直下型バックライトとの取り付けネジ孔７ｂが設けられている。一方、上フレーム２にはネジ孔７ｃを有する上フレーム凸部１５が形成されており、ネジ孔７ｂに上フレーム２のネジ孔７ｃを合わせて上フレーム２と直下型バックライトとがネジ７ｄで取り付けられる。
【００３０】
このとき図１３における上フレーム２と直下型バックライトとの取り付け部の１部断面図である図１４に示すように、ネジ孔７ｂが設けられた反射板屈曲部１１ｃを反射板の空間部９において直下型バックライトの外形より内側に設け、かつ反射板屈曲部１１ｃに接合せしめるように上フレーム２の側面の一部を液晶モジュール１３より内側に凸部１５を形成し、この上フレーム凸部１５にネジ孔７ｃを設けて上フレーム２と直下型バックライトとを取り付けることで、液晶モジュール１３の外形からネジ７ｄの頭部分が飛び出ない構造ができ、液晶モジュール１３の外形は小さくなり、延いては液晶モニタの小型化、狭額縁化が可能となる。
【００３１】
次ぎに本発明の第６の実施形態について説明する。図１５は、本発明の第６の実施形態である液晶モニタの組立て状態を示す分解斜視図である。図１５に示す構造は、前記本発明の第５および第１の実施形態を併用して、液晶モニタの狭額縁化、薄型化、小型化を実現するものである。この実施形態では、前記した本発明の第５の実施形態を示す図１３及び図１４のように反射板屈曲部１１ｃを設けた構造と本発明の第１の実施形態を示す図１、図３及び図４のように反射板延長部１１ａを設けた構造とを備えた液晶モジュール１３に液晶モニタ部材１２を取付ける。図１６は、図１５に示す液晶モジュール１３と液晶モニタ部材１２とが取り付けられた状態のＣ−Ｃ線断面図である。
【００３２】
液晶モニタ１３は、既に図１３及び図１４で示した反射板屈曲部１１ｃに設けられたネジ孔７ｂと上フレーム２に設けられたネジ孔７ｃとが接合され、ネジ７ｄによって強固に直下型バックライトと上フレーム２が取り付けられて組立てられている。液晶モジュール１３の反射板８には、本発明の第１の実施形態で示した反射板延長部１１ａが設けられており、反射板延長部１１ａにはネジ孔７ａが設けられている。液晶モジュール１３の反射板延長部１１ａのネジ孔７ａに液晶モニタ部材１２の取付け部のネジ孔７ｃを合わせてネジで固定する。したがって図１５および図１６に示す構造を用いることで、上フレーム凸部１５にネジ孔７ｃを設けて上フレーム２と直下型バックライトとが取り付けられ、液晶モジュール１３の外形からネジ７ｄの頭部分が飛び出ない構造ができる。このため図２０に示す従来のサイド側取り付け方式による液晶モジュールの取り付け構造のように、ネジ７ｄの先端を蛍光管６の支持台１４等の光学系部材から避けるために液晶モジュール１３の外側に向けて上フレーム２の外形を大きくする必要が無くなり、液晶モジュール１３の外形はより小さくなって液晶モニタの小型化、狭額縁化が可能となる。
【００３３】
また、本実施形態では、第１の実施形態のように反射板斜面の空間部９に反射板延長部１１ａを設けて液晶モジュール１３と液晶モニタ部材１２とを取り付けているので、図２１に示す従来のリア側取り付け方式による液晶モジュールの取り付け構造のように下側反射板面１０ｃ上に、ネジ７ｄの先端をバックライトの光学系部材から避けるように液晶モジュールより外側に向けた反射板凸部１１ｂを形成して液晶モニタ部材１２の取り付けネジ孔７ａを設ける必要が無くなり、液晶モニタの薄型化、小型化が可能となる。
【００３４】
さらに図１５に示す構造は、前記した本発明の第５および第１の実施形態を組み合わせて、液晶モニタの狭額縁化、薄型化、小型化を実現するものであり、かつ液晶モジュール１３の裏面にもしくは側面に配置される液晶駆動回路基板１６やインバータ等の部品と、液晶モジュール１３と液晶モニタ部材１２との取り付け部との干渉を避けることが出来るため、設計の自由度が高まるという利点を有している。なお、１７は外部回路と接続するためのフラットケーブルである。また、図１５に示す反射板延長部１１ａを本発明の第３および第４の実施形態に示した反射板突出部１１ｄ、１１ｅに変える、もしくは反射板突出部１１ｄ、１１ｅを追加して反射板延長部１１ａと併用することで、より強固に液晶モジュール１３と液晶モニタ部材１２とを取り付けることができ、反射板８が薄型化、軽量化した場合や液晶モニタ部材１２が重くなった場合に、取り付け部の変形による様々な障害を防止することが可能となる。
【００３５】
次ぎに本発明の第７の実施形態について説明する。図１７は、本発明の第７の実施形態を示す１部断面図である。本実施の形態の液晶モニタは、図１７に示すように、上記した本発明の第５の実施形態における直下型バックライトの反射板屈曲部１１ｃと上フレーム凸部１５とが接合する部分に、本発明の第２の実施形態に示すネジ孔７ｃが形成された液晶モニタ部材１２の取り付け部を、反射板斜面の空間部９において反射板屈曲部１１ｃより液晶モジュール１３の外形に対して内側に設けて接合し、ネジ７ｄによって一体に固定した構造を有している。このため本実施の形態は、ネジ７ｄ等の部品を減らすことができ、液晶モニタの組立及び反射板８の加工を容易にすることが可能となる。
【００３６】
次に本発明の第８の実施形態について説明する。本発明の第８の実施形態は液晶モジュール１３の裏面もしくは側面に配置される液晶駆動回路基板やインバータ等の部品の位置により、本発明の第１の実施形態乃至第４の実施形態に示す構造のように反射板８に液晶モジュール１３と液晶モニタ部材１２との取り付け部を必要な数だけ設けることが難しい場合や、液晶モニタ部材１２が重く更に強固な取り付け部を要するため、反射板延長部１１ａや反射板屈曲部１１ｃ、反射板突出部１１ｄ、１１ｅのみではなく、液晶モジュール１３の側面に位置する上フレーム２に液晶モニタ部材１２との取り付け部を設けようとする場合に用いられる。
【００３７】
図１８は、本発明の第８の実施形態を示す液晶モジュール１３と液晶モニタ部材１２との取り付け構造の分解斜視図である。図１８では液晶モジュール１３の上フレーム２の側面に液晶モニタ部材１２との取り付け部である上フレーム凸部１５が反射板の空間部９で形成され、上フレーム凸部１５にはネジ孔７ｃが設けられ、上フレーム凸部１５のネジ孔７ｃに接合せしめる液晶モニタ部材１２の一部にはネジ孔７ｂが設けられ、ネジ７ｄにより液晶モジュール１３と液晶モニタ部材１２とが取り付けられる構造が示されている。
【００３８】
図１９は、液晶モジュール１３と液晶モニタ部材１２とが取り付けられた状態の図１８に示す液晶モニタのＤ−Ｄ線断面図である。このとき図１９に示すように上フレーム凸部１５とネジ孔７ｂが設けられた液晶モニタ部材１２の取り付け部とを、反射板斜面の空間部９で上フレーム凸部１５より液晶モジュール１３の外形に対して内側に設けると、ネジ７ｄの頭部分が液晶モジュール１３の外形から外側に飛び出ず、液晶モニタ外形は図２０に示す従来のサイドマウント方式に比べて小さくなり、液晶モニタの狭額縁化、小型化が可能となる。
【００３９】
以上、本発明の第１乃至第８の実施形態に示した液晶モジュール１３と液晶モニタ部材１２との取り付け部及び直下型バックライトと上フレーム２の取り付け部にはネジ孔が設けられ、ネジによって強固に両部材が固定される。取り付け部のネジ止めによって振動及び衝撃に対する液晶モニタの強度を確保し、かつ取り付け部間の確実な接触により電気的な接続を維持することが容易となる。
【００４０】
【発明の効果】
以上詳細に説明したように、本発明の液晶モニタでは、液晶モジュールと液晶モニタ部材との取り付け部を液晶モジュールを構成する直下型バックライトの反射板斜面と上フレームとの間に形成される空間領域に設ける構成としたので、薄型化、小型化、狭額縁化が可能な液晶モニタを得ることができる。
【図面の簡単な説明】
【図１】（ａ）、（ｂ）は本発明の第１の実施形態を示す液晶モニタの１部断面図と分解斜視図である。
【図２】本発明の第１の実施形態に用いる液晶モジュールを示す断面図である。
【図３】（ａ）、（ｂ）は図１の液晶モジュール部分の背面図とＡ−Ａ線断面図である。
【図４】本発明の第１の実施形態である液晶モジュールと液晶モニタ部材の取付け構造の拡大斜視図である。
【図５】本発明の第２の実施形態である液晶モジュールと液晶モニタ部材の取付け構造の拡大斜視図である。
【図６】図５に示した本発明の第２の実施形態である液晶モニタの１部断面図である。
【図７】本発明の第３の実施形態である液晶モニタを示す１部断面図である。
【図８】（ａ）、（ｂ）は図７の液晶モジュール部分の背面図とＢ−Ｂ線断面図である。
【図９】本発明の第３の実施形態である液晶モジュールと液晶モニタ部材の取付け構造の拡大斜視図である。
【図１０】図９に示す取付け構造の変形例を示す拡大斜視図である。
【図１１】図９に示す取付け構造の他の変形例を示す拡大斜視図である。
【図１２】本発明の第４の実施形態である液晶モジュールと液晶モニタ部材の取付け構造の拡大斜視図である。
【図１３】本発明の第５の実施形態である液晶モジュールの組立て構造を示す拡大斜視図である。
【図１４】図１３に示した液晶モジュールの組立て構造の１部断面図である。
【図１５】本発明の第６の実施形態である液晶モジュールと液晶モニタ部材の取付け構造の分解斜視図である。
【図１６】図１５のＣ−Ｃ線断面図である。
【図１７】本発明の第７の実施形態である液晶モジュールと液晶モニタ部材の取付け構造の１部断面図である。
【図１８】本発明の第８の実施形態である液晶モジュールと液晶モニタ部材の取付け構造の分解斜視図である
【図１９】図１８のＤ−Ｄ線断面図である。
【図２０】従来のサイド側取付け方式の液晶モニタを示す１部断面図である。
【図２１】従来のリア側取付け方式の液晶モニタを示す１部断面図である。
【符号の説明】
１ａ　　筐体フレーム（パネル側）
１ｂ　　筐体フレーム（リア側）
２　　上フレーム
３　　液晶パネル
４　　中間フレーム
５　　拡散板
６　　蛍光管
７ａ、７ｂ、７ｃ　　ネジ孔
７ｄ　　ネジ
８　　反射板
９　　反射板斜面の空間部
１０ａ　　反射板斜面
１０ｂ　　上側反射板面
１０ｃ　　下側反射板面
１１ａ　　反射板延長部
１１ｂ　　反射板凸部
１１ｃ　　反射板屈曲部
１１ｄ、１１ｅ　　反射板突出部
１２　　液晶モニタ部材
１３　　液晶モジュール
１４　　支持台
１５　　上フレーム凸部
１６　　駆動回路基板
１７　　フラットケーブル
【図１】
2004029186.tif 000003
【図２】
2004029186.tif 000004
【図３】
2004029186.tif 000005
【図４】
2004029186.tif 000006
【図５】
2004029186.tif 000007
【図６】
2004029186.tif 000008
【図７】
2004029186.tif 000009
【図８】
2004029186.tif 000010
【図９】
2004029186.tif 000011
【図１０】
2004029186.tif 000012
【図１１】
2004029186.tif 000013
【図１２】
2004029186.tif 000014
【図１３】
2004029186.tif 000015
【図１４】
2004029186.tif 000016
【図１５】
2004029186.tif 000017
【図１６】
2004029186.tif 000018
【図１７】
2004029186.tif 000019
【図１８】
2004029186.tif 000020
【図１９】
2004029186.tif 000021
【図２０】
2004029186.tif 000022
【図２１】
2004029186.tif 000023